(57)【要約】【課題】フルコンフィギュレーションを伴うハンドオーバにおけるデータ破棄を回避するための技術を提供することである。【解決手段】本発明の一態様は、ハンドオーバにおけるターゲット基地局であって、フルコンフィギュレーションが実施されるユーザ装置に対するハンドオーバ処理を実行するハンドオーバ処理部と、ソース基地局から転送された前記ユーザ装置宛てのパケットシーケンスの各パケットに対してシーケンス番号を振り直すシーケンス番号付与部とを有するターゲット基地局に関する。【選択図】図５
2015220644.tif 000002
【特許請求の範囲】
【請求項１】
ハンドオーバにおけるターゲット基地局であって、
フルコンフィギュレーションが実施されるユーザ装置に対するハンドオーバ処理を実行するハンドオーバ処理部と、
ソース基地局から転送された前記ユーザ装置宛てのパケットシーケンスの各パケットに対してシーケンス番号を振り直すシーケンス番号付与部と、
を有するターゲット基地局。
【請求項２】
前記ハンドオーバ処理部は、前記ソース基地局から転送された前記ユーザ装置宛てのパケットシーケンスと共に、コアネットワークから送信された前記ユーザ装置宛てのパケットシーケンスを受信し、
前記シーケンス番号付与部は、前記ソース基地局から転送された前記ユーザ装置宛てのパケットシーケンスの最後のパケットのシーケンス番号を振り直すと、前記コアネットワークから送信された前記ユーザ装置宛てのパケットシーケンスの各パケットに対して、前記最後のパケットのシーケンス番号に続くシーケンス番号を付与する、請求項１記載のターゲット基地局。
【請求項３】
前記パケットはＰＤＣＰ（Ｐａｃｋｅｔ  Ｄａｔａ  Ｃｏｎｖｅｒｇｅｎｃｅ  Ｐｒｏｔｏｃｏｌ）パケットであり、前記シーケンス番号はＰＤＣＰシーケンス番号であり、
前記ハンドオーバ処理部は、前記ＰＤＣＰパケットのヘッダ情報又はＴＥ（Ｔｕｎｎｅｌ  Ｅｎｄｐｏｉｎｔ）識別子に基づき、前記ＰＤＣＰパケットが前記ソース基地局とコアネットワークとの何れから送信されたか判断する、請求項１又は２記載のターゲット基地局。
【請求項４】
ハンドオーバにおけるソース基地局であって、
フルコンフィギュレーションが実施されるユーザ装置に対するハンドオーバ処理を実行するハンドオーバ処理部と、
ターゲット基地局に転送する前記ユーザ装置宛てのパケットシーケンスの各パケットに対してシーケンス番号を振り直すシーケンス番号付与部と、
を有するソース基地局。
【請求項５】
前記シーケンス番号付与部は、前記ユーザ装置に送信されたが、未だ送達確認を受信していないバッファ内に格納されている未送達確認パケットに対して前記シーケンス番号を振り直す、請求項４記載のソース基地局。
【請求項６】
前記シーケンス番号付与部は、前記ユーザ装置に送信されていないバッファ内に格納されている未送信パケットに対して前記シーケンス番号を振り直す、請求項４記載のソース基地局。
【請求項７】
前記シーケンス番号付与部は、ＲＬＣ（Ｒａｄｉｏ  ｌｉｎｋ  ｃｏｎｔｒｏｌｐｒｏｔｏｃｏｌ）−ＡＭ（Ａｃｋｎｏｗｌｅｇｅｄ  ｍｏｄｅ）の滞留パケットとＲＬＣ−ＵＭ（Ｕｎａｃｋｎｏｗｌｅｇｅｄ  ｍｏｄｅ）の滞留パケットとがバッファ内に混在する場合、それぞれの転送モードに従って転送すべき滞留パケットを特定し、特定した滞留パケットに対して前記シーケンス番号を振り直す、請求項４記載のソース基地局。
【請求項８】
前記シーケンス番号付与部は、前記ターゲット基地局に転送する前記ユーザ装置宛てのパケットシーケンスのパケット数を決定し、前記決定したパケット数を前記ターゲット基地局に通知する、請求項４乃至７何れか一項記載のソース基地局。
【請求項９】
前記シーケンス番号の振り直し後にコアネットワークからパケットシーケンスを受信した場合、前記シーケンス番号付与部は、前記コアネットワークから受信したパケットシーケンスに対して前記シーケンス番号を振り直すことなく、前記ターゲット基地局に転送する、請求項８記載のソース基地局。
【請求項１０】
前記パケットはＰＤＣＰ（Ｐａｃｋｅｔ  Ｄａｔａ  Ｃｏｎｖｅｒｇｅｎｃｅ  Ｐｒｏｔｏｃｏｌ）パケットであり、前記シーケンス番号はＰＤＣＰシーケンス番号である、請求項４乃至９何れか一項記載のソース基地局。
【発明の詳細な説明】
【技術分野】
【０００１】
本発明は、無線通信システムに関する。
【背景技術】
【０００２】
スマートフォンやタブレットなどの高機能携帯端末の出現によって、無線通信システムにおけるトラフィック量が増加している。このようなトラフィック量の増加に対応するため、無線通信の高速化及び大容量化を可能にする通信規格として、ＬＴＥ（Ｌｏｎｇ  Ｔｅｒｍ  Ｅｖｏｌｕｔｉｏｎ）システムの導入及び展開が進められている。３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）により策定されるＬＴＥ規格は順次改訂され、リリースされている。
【０００３】
このような理由により、異なる時期に設置された基地局毎に対応しているＲｅｌｅａｓｅ（Ｒｅｌ）や機能が異なる可能性がある。このため、ユーザ装置（Ｕｓｅｒ  Ｅｑｕｉｐｍｅｎｔ：ＵＥ）が移動して基地局（ｅｖｏｌｖｅｄ  Ｎｏｄｅ  Ｂ：ｅＮＢ）間でハンドオーバする際には、移動元基地局（ソース基地局、Ｓ−ｅＮＢ）及び移動先基地局（ターゲット基地局、Ｔ−ｅＮＢ）とユーザ装置との間でコンフィギュレーションが整合するように、ハンドオーバ処理が制御される必要がある。
【０００４】
３ＧＰＰ規格によって、ハンドオーバーを行う際に、移動元基地局が準拠しているＲｅｌｅａｓｅと移動先基地局が準拠しているＲｅｌｅａｓｅとが異なる場合、ユーザ装置とターゲット基地局との間のコンフィギュレーションを整合させるため、ハンドオーバに伴ってソース基地局において設定された全てのコンフィギュレーションをユーザ装置が一旦削除する機構（フルコンフィギュレーション）が規定された。具体的に、ユーザ装置は、フルコンフィギュレーション情報要素（ＩＥ）を含むハンドオーバコマンドを受信すると、ベアラの解放を含む全てのコンフィギュレーションを一旦削除する。これに伴って、受信パケットのリオーダリングに用いられるＰＤＣＰ（Ｐａｃｋｅｔ  Ｄａｔａ  Ｃｏｎｖｅｒｇｅｎｃｅ  Ｐｒｏｔｏｃｏｌ）シーケンス番号（ＳＮ）もまたリセットされる（ＰＤＣＰ  ＳＮ＝０）。
【０００５】
基地局間ハンドオーバでは、ソース基地局は、バッファに滞留しているダウンリンク（ＤＬ）データをターゲット基地局に転送する。これにより、ユーザ装置が移動したとしても、ダウンリンクパケットを破棄することなく通信を継続することが可能である。基地局間ハンドオーバにおいて、バッファに滞留しているダウンリンクパケットの転送は、ＲＬＣ（Ｒａｄｉｏ  Ｌｉｎｋ  Ｃｏｎｔｒｏｌ）−ＡＭ（Ａｃｋｎｏｗｌｅｄｇｅｄ  Ｍｏｄｅ）とＲＬＣ−ＵＭ（Ｕｎａｃｋｎｏｗｌｅｄｇｅｄ  Ｍｏｄｅ）とにより実行可能である。ダウンリンクパケットをどの方法で転送するかは、上位アプリケーションからの要求等に応じて、基地局で区別することが可能である。
【０００６】
ＲＬＣ−ＡＭでは、ソース基地局は、ハンドオーバ対象となるユーザ装置に送信済みであるが、ユーザ装置から未だ送達確認（ＡＣＫ）を受信していない滞留パケットをターゲット基地局に転送する。一方、ＲＬＣ−ＵＭでは、ソース基地局は、ハンドオーバ対象となるユーザ装置に送信済みの滞留パケットを破棄し、未送信の滞留パケットのみターゲット基地局に転送する。
【０００７】
異なるＲｅｌｅａｓｅに準拠した基地局間のハンドオーバでは、上述したフルコンフィギュレーションが実行される。例えば、ソース基地局がＲｅｌ−１０に準拠し、ターゲット基地局がＲｅｌ−８に準拠している場合、これらの基地局は互換性を有しておらず、当該基地局間ハンドオーバは、フルコンフィギュレーションによりユーザ装置の設定値を初期化することによって実行される必要がある。
【０００８】
図１に示されるように、無線品質の劣化などのハンドオーバ起動契機を検出すると、ソース基地局（Ｒｅｌ−１０  ｅＮＢ）はまず、ハンドオーバリクエスト（ＨＯ  ｒｅｑｕｅｓｔ）をターゲット基地局（Ｒｅｌ−８  ｅＮＢ）に送信する。当該ハンドオーバリクエストには、ユーザ装置の設定中のＲｅｌｅａｓｅ情報を示すｕｅ−ＣｏｎｆｉｇＲｅｌｅａｓｅが含まれる。
【０００９】
当該ハンドオーバリクエストを受信すると、ターゲット基地局は、ユーザ装置の設定中のＲｅｌｅａｓｅ情報を確認する。ユーザ装置（ソース基地局）が設定中のＲｅｌｅａｓｅとターゲット基地局が準拠しているＲｅｌｅａｓｅとが異なる場合、ユーザ装置にフルコンフィギュレーションを実施させる指示を含め、ハンドオーバリクエストＡＣＫ（ＨＯ  ｒｅｑｕｅｓｔ  ＡＣＫ）をソース基地局へ返す。
【００１０】
当該ハンドオーバリクエストＡＣＫを受信すると、ソース基地局は、フルコンフィギュレーション指示を含むハンドオーバコマンド（ＨＯ  ｃｏｍｍａｎｄ）をユーザ装置に送信する。当該ハンドオーバコマンドには、ターゲット基地局のＲｅｌ−８のコンフィギュレーションを通知するための情報が含まれる。
【００１１】
当該ハンドオーバコマンドを受信すると、ユーザ装置は、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）とセキュリティ以外の全てのコンフィギュレーションを再設定すると共に、ＰＤＣＰ  ＳＮなどのベアラの設定値を初期化する。当該再設定が完了すると、ユーザ装置は、受信したハンドオーバコマンドのＲｅｌ−８のコンフィギュレーションに従ってターゲット基地局に接続する。
【先行技術文献】
【非特許文献】
【００１２】
【非特許文献１】３ＧＰＰ  ＴＳ  ３６．３００  Ｖ１２．１．０（２０１４−０３）
【非特許文献２】３ＧＰＰ  ＴＳ  ３６．３３１  Ｖ１２．１．０（２０１４−０３）
【発明の概要】
【発明が解決しようとする課題】
【００１３】
このように、フルコンフィギュレーションを伴うハンドオーバによると、ユーザ装置においてＰＤＣＰシーケンス番号がリセットされる。このため、ソース基地局からのパケットシーケンスとターゲット基地局からのパケットシーケンスとのパケット順序が保証できなくなり、ユーザ装置又は基地局においてパケットが破棄される可能性がある。
【００１４】
例えば、図２に示されるように、ユーザ装置が、ソース基地局との通信中にＰＤＣＰ  ＳＮ＝Ｘ，Ｘ＋１の２つのパケットを受信したとする。その後、フルコンフィギュレーションを伴うハンドオーバが実施され、ユーザ装置のシーケンス番号がリセットされる（ＰＤＣＰ  ＳＮ＝０）。この場合、ソース基地局における滞留パケットＳＮ＝Ｘ＋２は、ターゲット基地局に転送され、ユーザ装置がターゲット基地局に接続すると、ターゲット基地局からユーザ装置に送信される。しかしながら、ユーザ装置におけるＰＤＣＰシーケンス番号はリセットされているため、ユーザ装置は、ターゲット基地局から受信したＳＮ＝Ｘ＋２のパケットの順序を認識することができず、当該パケットを破棄する。
【００１５】
このようなパケットの破棄によって、パケットに含まれたデータは、コアネットワーク又はＥＰＣ（Ｅｖｏｌｖｅｄ  Ｐａｃｋｅｔ  Ｃｏｒｅ）などの上位レイヤから再送される必要があり、通信システムにおける伝送レートが低下する恐れがある。例えば、ＴＣＰ（Ｔｒａｎｓｍｉｓｓｉｏｎ  Ｃｏｎｔｒｏｌ  Ｐｒｏｔｏｃｏｌ）レイヤにおいて下位レイヤのパケット破棄に起因するデータの欠落が検出された場合、当該データは、スロースタートにより再送されることになり、通信システムの伝送レートが低下する。
【００１６】
上述した問題点に鑑み、本発明の課題は、フルコンフィギュレーションを伴うハンドオーバにおけるパケット破棄を回避するための技術を提供することである。
【課題を解決するための手段】
【００１７】
上記課題を解決するため、本発明の一態様は、ハンドオーバにおけるターゲット基地局であって、フルコンフィギュレーションが実施されるユーザ装置に対するハンドオーバ処理を実行するハンドオーバ処理部と、ソース基地局から転送された前記ユーザ装置宛てのパケットシーケンスの各パケットに対してシーケンス番号を振り直すシーケンス番号付与部とを有するターゲット基地局に関する。
【００１８】
本発明の他の態様は、ハンドオーバにおけるソース基地局であって、フルコンフィギュレーションが実施されるユーザ装置に対するハンドオーバ処理を実行するハンドオーバ処理部と、ターゲット基地局に転送する前記ユーザ装置宛てのパケットシーケンスの各パケットに対してシーケンス番号を振り直すシーケンス番号付与部とを有するソース基地局に関する。
【発明の効果】
【００１９】
本発明によると、フルコンフィギュレーションを伴うハンドオーバにおけるパケット破棄を回避することが可能になる。
【図面の簡単な説明】
【００２０】
【図１】図１は、フルコンフィギュレーションを伴うハンドオーバを示す概略図である。
【図２】図２は、フルコンフィギュレーションを伴うハンドオーバにおけるデータ破棄例を示す概略図である。
【図３】図３は、本発明の一実施例による無線通信システムを示す概略図である。
【図４】図４は、本発明の第１実施例によるハンドオーバにおけるデータ転送処理を示す概略図である。
【図５】図５は、本発明の第１実施例によるターゲット基地局の構成を示すブロック図である。
【図６】図６は、本発明の第１実施例によるハンドオーバ処理を示すシーケンス図である。
【図７】図７は、本発明の第２実施例によるハンドオーバにおけるデータ転送処理を示す概略図である。
【図８】図８は、本発明の第２実施例によるターゲット基地局の構成を示すブロック図である。
【図９】図９は、本発明の第２実施例によるハンドオーバ処理を示すシーケンス図である。
【発明を実施するための形態】
【００２１】
以下、図面に基づいて本発明の実施の形態を説明する。
【００２２】
後述される実施例では、フルコンフィギュレーションを伴うハンドオーバにおけるソース基地局及びターゲット基地局が開示される。
【００２３】
一実施例では、フルコンフィギュレーションによって、ユーザ装置においてパケットをリオーダリングするためのシーケンス番号がリセットされる。ターゲット基地局は、ユーザ装置においてリセットされたシーケンス番号に対応して、ソース基地局から転送されたパケットのシーケンス番号を振り直す。その後、ターゲット基地局は、ユーザ装置におけるシーケンス番号に対応したパケットをユーザ装置に送信する。これにより、ユーザ装置は、リセットされたシーケンス番号に基づき受信したパケットを適切にリオーダリングすることが可能になる。
【００２４】
他の実施例では、フルコンフィギュレーションによって、ユーザ装置におけるパケットをリオーダリングするためのシーケンス番号がリセットされる。ソース基地局は、ユーザ装置においてリセットされたシーケンス番号に対応して、ターゲット基地局に転送されるパケットのシーケンス番号を振り直し、ターゲット基地局にパケットを転送する。ターゲット基地局は、ユーザ装置におけるシーケンス番号に対応したパケットをユーザ装置に送信する。これにより、ユーザ装置は、リセットされたシーケンス番号に基づき受信したパケットを適切にリオーダリングすることが可能になる。
【００２５】
図３を参照して、本発明の一実施例による無線通信システムを説明する。図３は、本発明の一実施例による無線通信システムを示す概略図である。
【００２６】
図３に示されるように、無線通信システム１０は、基地局１００Ｓ，１００Ｔ、ユーザ装置２００及びコアネットワーク（ＥＰＣ）３００を有する。基地局１００Ｓは、ユーザ装置２００がハンドオーバする際のソース基地局（Ｓ−ｅＮＢ）であり、基地局１００Ｔは、ユーザ装置２００がハンドオーバする際のターゲット基地局（Ｔ−ｅＮＢ）である。
【００２７】
基地局１００Ｓと１００Ｔ（以降、基地局１００として総称されてもよい）は、ユーザ装置２００と無線接続することによって、コアネットワーク３００上に通信接続された上位局やサーバなどのネットワーク装置から受信したダウンリンク（ＤＬ）パケットをユーザ装置２００に送信すると共に、ユーザ装置２００から受信したアップリンク（ＵＬ）パケットをネットワーク装置に送信する。
【００２８】
基地局１００Ｓと１００Ｔは、典型的には、ユーザ装置２００との間で無線信号を送受信するためのアンテナ、コアネットワーク３００と通信するための通信インタフェース、ユーザ装置２００とコアネットワーク３００との間の送受信信号を処理するためのプロセッサや回路などのハードウェアリソースにより構成される。後述される基地局１００Ｓ，１００Ｔの各機能及び処理は、メモリ装置に格納されているデータやプログラムをプロセッサが処理又は実行することによって実現されてもよい。ただし、基地局１００Ｓ，１００Ｔは、上述したハードウェア構成に限定されず、他の何れか適切なハードウェア構成を有してもよい。
【００２９】
本実施例では、基地局１００Ｓ，１００Ｔは、異なるＲｅｌｅａｓｅのＬＴＥ規格に準拠する。一例として、ソース基地局１００ＳはＬＴＥ規格のＲｅｌ−１０に準拠し、ターゲット基地局１００ＴはＲｅｌ−８に準拠しているとする。この場合、ソース基地局１００Ｓとターゲット基地局１００Ｔとの間のハンドオーバでは、フルコンフィギュレーションが適用される。すなわち、ユーザ装置２００とターゲット基地局１００Ｔとの間のコンフィギュレーションを整合させるため、ユーザ装置２００において、ソース基地局１００Ｓにおいて設定された全てのコンフィギュレーションが削除され、ターゲット基地局１００Ｔにおけるコンフィギュレーションに再設定される。具体的には、ユーザ装置２００は、ソース基地局１００Ｓからフルコンフィギュレーション情報要素（ＩＥ）を含むハンドオーバコマンドを受信すると、ベアラの解放を含む全てのコンフィギュレーションを一旦削除する。これに伴って、受信パケットのリオーダリングに用いられるＰＤＣＰ（Ｐａｃｋｅｔ  Ｄａｔａ  Ｃｏｎｖｅｒｇｅｎｃｅ  Ｐｒｏｔｏｃｏｌ）シーケンス番号（ＳＮ）もまたリセットされる（ＰＤＣＰ  ＳＮ＝０）。その後、ユーザ装置２００は、ターゲット基地局１００Ｔにおけるコンフィギュレーションを再設定し、再設定されたコンフィギュレーションに従って、ターゲット基地局１００Ｔとの通信を開始する。ただし、本発明によるソース基地局１００Ｓとターゲット基地局１００Ｔとは、これに限定されることなく、フルコンフィギュレーションを伴うハンドオーバにおける任意のソース基地局とターゲット基地局とに対して適用可能である。
【００３０】
ユーザ装置２００は、典型的には、スマートフォン、携帯電話、タブレット、モバイルルータなどの無線通信機能を備えた何れか適切な情報処理装置である。本実施例では、ユーザ装置２００は、異なるＲｅｌｅａｓｅのＬＴＥ規格に対応可能であり、ハンドオーバにおけるフルコンフィギュレーション機能をサポートしている。
【００３１】
コアネットワーク３００は、ＬＴＥ規格におけるＥＰＣ（Ｅｖｏｌｖｅｄ  Ｐａｃｋｅｔ  Ｃｏｒｅ）であり、典型的には、ネットワーク制御のためのＭＭＥ（Ｍｏｂｉｌｉｔｙ  Ｍａｎａｇｅｍｅｎｔ  Ｅｎｔｉｔｙ）、ユーザデータの通信のためのＳ−ＧＷ（Ｓｅｒｖｉｎｇ  Ｇａｔｅｗａｙ）及び外部のネットワーク装置とのインタフェースのためのＰ−ＧＷ（Ｐａｃｋｅｔ  Ｄａｔａ  Ｎｅｔｗｏｒｋ  Ｇａｔｅｗａｙ）から構成される。
【００３２】
次に、図４〜６を参照して、本発明の第１実施例によるフルコンフィギュレーションを伴うハンドオーバ処理を説明する。第１実施例では、ターゲット基地局１００Ｔが、フルコンフィギュレーションを伴うハンドオーバにおいて、ユーザ装置２００においてリセットされたＰＤＣＰシーケンス番号に対応して、ソース基地局１００Ｓから転送されたパケットのＰＤＣＰシーケンス番号を振り直し、変更後のＰＤＣＰシーケンス番号が付与されたパケットをユーザ装置２００に送信する。
【００３３】
図４は、本発明の第１実施例によるハンドオーバにおけるパケット転送処理を示す概略図である。図４に示されるように、ユーザ装置２００は、ソース基地局１００Ｓとの通信中にパケット１（ＰＤＣＰ  ＳＮ＝Ｘ）及びパケット２（ＰＤＣＰ  ＳＮ＝Ｘ＋１）の２つのパケットを受信したとする。
【００３４】
その後、フルコンフィギュレーションを伴うハンドオーバが実施され、ユーザ装置２００のシーケンス番号がリセットされる（ＰＤＣＰ  ＳＮ＝０）。ソース基地局１００Ｓは、バッファに滞留しているパケット３（ＰＤＣＰ  ＳＮ＝Ｘ＋２）をターゲット基地局１００Ｔに転送し、その後に当該パケット３が最後の転送パケットであることを示すエンドマーク（Ｅ）を送信する。一方、ハンドオーバ後、コアネットワーク３００は、ユーザ装置２００宛てのパケットの送信先をソース基地局１００Ｓからターゲット基地局１００Ｔに切り替え、以降のパケット４をターゲット基地局１００Ｔに送信する。
【００３５】
パケット３（ＰＤＣＰ  ＳＮ＝Ｘ＋２）を受信すると、ターゲット基地局１００Ｔは、ユーザ装置２００においてリセットされたＰＤＣＰシーケンス番号（ＰＤＣＰ  ＳＮ＝０）に対応して、受信したパケット３のＰＤＣＰシーケンス番号を振り直し（ＰＤＣＰ  ＳＮ＝０）、変更後のＰＤＣＰシーケンス番号が付与されたパケット３（ＰＤＣＰ  ＳＮ＝０）をユーザ装置２００に送信する。これにより、ユーザ装置２００は、ターゲット基地局１００Ｔから受信したパケット３（ＰＤＣＰ  ＳＮ＝０）を受信済みのパケット１，２に後続するパケットとして判断し、パケット１〜３に対して適切なリオーダリングを実行することが可能になる。その後、ソース基地局１００ＳからエンドマーカＥを受信すると、ターゲット基地局１００Ｔは、ソース基地局１００Ｓからのパケット転送が完了したと判断し、コアネットワーク３００から受信したパケット４に対して、パケット３のＰＤＣＰシーケンス番号に続くＰＤＣＰシーケンス番号を割り当て（ＰＤＣＰ  ＳＮ＝１）、ユーザ装置２００に送信する。パケット４（ＰＤＣＰ  ＳＮ＝１）を受信すると、ユーザ装置２００は、当該パケット４を受信済みのパケット３（ＰＤＣＰ  ＳＮ＝０）に後続するパケットとして判断し、以降に受信するパケットに対して適切なリオーダリングを実行することができる。
【００３６】
図５は、本発明の第１実施例によるターゲット基地局の構成を示すブロック図である。図５に示されるように、ターゲット基地局１００Ｔは、ハンドオーバ処理部１１０Ｔ及びシーケンス番号付与部１２０Ｔを有する。
【００３７】
ハンドオーバ処理部１１０Ｔは、フルコンフィギュレーションが実施されるユーザ装置２００に対するハンドオーバ処理を実行する。具体的には、ハンドオーバ処理部１１０Ｔは、ソース基地局１００Ｓからハンドオーバリクエストを受信すると、受信したハンドオーバリクエストに含まれるユーザ装置が使用中のＲｅｌｅａｓｅの情報を確認する。受信したハンドオーバリクエストにより、ユーザ装置が使用しているＲｅｌｅａｓｅがターゲット基地局が準拠しているＲｅｌｅａｓｅと異なる場合、ハンドオーバ処理部１１０Ｔは、ハンドオーバリクエストに対する送達確認を返すと共に、フルコンフィギュレーションによるハンドオーバ処理を起動する。その後、ハンドオーバ処理部１１０Ｔは、フルコンフィギュレーションが実施されたユーザ装置２００との間で接続を確立し、ターゲット基地局１００Ｔにおけるコンフィギュレーションに従ってユーザ装置２００と通信する。なお、上記ハンドオーバリクエストに含まれるユーザ装置が使用中のＲｅｌｅａｓｅの情報を利用する方法は、ターゲット基地局にフルコンフィギュレーションの必要を認識させる一例であり、ソース基地局１００Ｓからの明示的な通知などの他の通知方法があれば、その方法を用いても構わない。
【００３８】
一実施例では、ハンドオーバ処理部１１０Ｔは、ソース基地局１００Ｓから転送されたユーザ装置２００宛てのパケットシーケンスと共に、コアネットワーク３００から送信されたユーザ装置２００宛てのパケットシーケンスを受信してもよい。ハンドオーバ処理部１１０Ｔは、受信したパケットのヘッダ又はＴＥ（Ｔｕｎｎｅｌ  Ｅｎｄｏｐｏｉｎｔ）識別子に基づき、当該パケットの送信元がソース基地局１００Ｓとコアネットワーク３００との何れであるか判断できる。
【００３９】
シーケンス番号付与部１２０Ｔは、ソース基地局１００Ｓから転送されたユーザ装置２００宛てのパケットシーケンスの各パケットに対してシーケンス番号を振り直す。本実施例では、このようにターゲット基地局１００Ｔがシーケンス番号を振り直すため、ソース基地局１００Ｓは、バッファに滞留しているパケットをターゲット基地局１００Ｔに転送する際、自らが既に付与したシーケンス番号をそのままヘッダに付加して転送してもよいし、シーケンス番号を削除して転送してもよい。
【００４０】
一実施例では、パケットはＰＤＣＰパケットであり、シーケンス番号はＰＤＣＰシーケンス番号である。フルコンフィギュレーションを実施したユーザ装置２００がＰＤＣＰシーケンス番号を０にリセットする場合（ＰＤＣＰ  ＳＮ＝０）、シーケンス番号付与部１２０Ｔは、これに対応してソース基地局１００Ｓから転送されたユーザ装置２００宛てのＰＤＣＰパケットに対して、０からＰＤＣＰシーケンス番号を振り直す。しかしながら、本発明はこれに限定されず、ユーザ装置２００がＰＤＣＰシーケンス番号をＸにリセットした場合、シーケンス番号付与部１２０Ｔもまた、ソース基地局１００Ｓから転送されたユーザ装置２００宛てのＰＤＣＰパケットに対して、ＸからＰＤＣＰシーケンス番号を振り直す。すなわち、シーケンス番号付与部１２０Ｔは、ユーザ装置２００においてリセットされたＰＤＣＰシーケンス番号に対応して、転送されたＰＤＣＰパケットのＰＤＣＰシーケンス番号を振り直す。
【００４１】
一実施例では、シーケンス番号付与部１２０Ｔは、ソース基地局１００Ｓから転送されたユーザ装置２００宛てのパケットシーケンスの最後のパケットのシーケンス番号を振り直すと、コアネットワーク３００から送信されたユーザ装置２００宛てのパケットシーケンスの各パケットに対して、当該最後のパケットのシーケンス番号に続くシーケンス番号を付与する。例えば、図４に示される具体例では、シーケンス番号付与部１２０Ｔは、パケット３（ＰＤＣＰ  ＳＮ＝Ｘ＋２）を受信すると、当該パケット３にＰＤＣＰシーケンス番号０を振り直した。その後、ターゲット基地局１００Ｔは、エンドマーカをソース基地局１００Ｓから受信すると、シーケンス番号付与部１２０Ｔは、パケット３（ＰＤＣＰ  ＳＮ＝０）が最後の転送パケットであると判断し、コアネットワーク３００から受信したパケット４に対してＰＤＣＰシーケンス番号１を付与する。
【００４２】
一実施例では、ソース基地局１００Ｓから転送対象のパケット数を通知するためのＳＮ  Ｓｔａｔｕｓ  Ｔｒａｎｓｆｅｒを受信した場合、シーケンス番号付与部１２０Ｔは、ＳＮ  Ｓｔａｔｕｓ  Ｔｒａｎｓｆｅｒに示されたパケット数に続くシーケンス番号をコアネットワーク３００から受信したパケットに付与するようにしてもよい。例えば、ＳＮ  Ｓｔａｔｕｓ  Ｔｒａｎｓｆｅｒがパケット数Ｘを示す場合、シーケンス番号付与部１２０Ｔは、コアネットワーク３００から受信したパケットにシーケンス番号Ｘ＋１を付与する。
【００４３】
図６は、本発明の第１実施例によるハンドオーバ処理、及びパケットのシーケンス番号を振り直す手順を示す図である。図６では、ステップＳ１０１において、ユーザ装置２００は、受信品質の測定結果をＭｅａｓｕｒｅｍｅｎｔ  ｒｅｐｏｒｔとしてソース基地局１００Ｓに送信する。
【００４４】
ステップＳ１０２において、ソース基地局１００Ｓは、受信したＭｅａｓｕｒｅｍｅｎｔ  ｒｅｐｏｒｔに基づき、ユーザ装置２００がターゲット基地局１００Ｔにハンドオーバすべきであると判断すると、Ｈａｎｄｏｖｅｒ  Ｒｅｑｕｅｓｔをターゲット基地局１００Ｔに送信する。
【００４５】
ステップＳ１０３において、ターゲット基地局１００Ｔは、受信したＨａｎｄｏｖｅｒ  Ｒｅｑｕｅｓｔに含まれるユーザ装置が使用しているＲｅｌｅａｓｅの情報を確認して、フルコンフィギュレーションによるハンドオーバ処理を開始する。
【００４６】
ステップＳ１０４において、ターゲット基地局１００Ｔは、フルコンフィギュレーションによるハンドオーバ指示に対する応答として、Ｈａｎｄｏｖｅｒ  Ｒｅｑｕｅｓｔ  Ａｃｋを返す。
【００４７】
ステップＳ１０５において、Ｈａｎｄｏｖｅｒ  Ｒｅｑｕｅｓｔ  Ａｃｋを受信すると、ソース基地局１００Ｓは、基地局１００Ｔをターゲット基地局とするハンドオーバ処理をコアネットワーク３００に通知すると共に、フルコンフィギュレーションによるハンドオーバ処理を実行する。
【００４８】
ステップＳ１０６において、ソース基地局１００Ｓは、フルコンフィギュレーション指示を設定したＲＲＣ  Ｃｏｎｎｅｃｔｉｏｎ  Ｒｅｃｏｎｆｉｇｕｒａｔｉｏｎをユーザ装置２００に送信する。
【００４９】
ステップＳ１０７において、ユーザ装置２００は、受信したＲＲＣ  Ｃｏｎｎｅｃｔｉｏｎ  Ｒｅｃｏｎｆｉｇｕｒａｔｉｏｎにおいて、フルコンフィギュレーションによるハンドオーバ指示が設定されていることを確認し、フルコンフィギュレーション機能を実施する。具体的には、ユーザ装置２００は、ベアラの解放やＰＤＣＰシーケンス番号などの各種パラメータの初期化など、ソース基地局１００Ｓにおいて設定された全てのコンフィギュレーションを削除し、ＲＲＣ  Ｃｏｎｎｅｃｔｉｏｎ  Ｒｅｃｏｎｆｉｇｕｒａｔｉｏｎに示されるターゲット基地局１００Ｔのためのコンフィギュレーションに再設定する。
【００５０】
ステップＳ１０８において、ソース基地局１００Ｓは、転送対象のパケット数を示すＳＮ  Ｓｔａｔｕｓ  Ｔｒａｎｓｆｅｒをターゲット基地局１００Ｔに送信すると共に、コアネットワーク３００から受信したパケットに対して、ＳＮ  Ｓｔａｔｕｓ  Ｔｒａｎｓｆｅｒに示されるパケット数に続くシーケンス番号を付与してユーザ装置２００に送信する。
【００５１】
ステップＳ１０９において、ソース基地局１００Ｓは、滞留パケットをターゲット基地局１００Ｔに転送する。
【００５２】
ステップＳ１１０において、ターゲット基地局１００Ｔは、ソース基地局１００Ｓから受信した各パケットのシーケンス番号を振り直す。例えば、ユーザ装置２００において、フルコンフィギュレーションによりＰＤＣＰシーケンス番号が０にリセットされる場合、ターゲット基地局１００Ｔもまた、ソース基地局１００Ｓから受信したパケットに対してＰＤＣＰシーケンス番号０を振り直す。
【００５３】
ステップＳ１１１において、ユーザ装置２００は、ターゲット基地局１００Ｔと通信するためのコンフィギュレーションの再設定が完了すると、ＲＲＣ  Ｃｏｎｎｅｃｔｉｏｎ  Ｒｅｃｏｎｆｉｇｕｒａｔｉｏｎ  Ｃｏｍｐｌｅｔｅをターゲット基地局１００Ｔに送信し、ターゲット基地局１００Ｔとの通信が可能となる。
【００５４】
ステップＳ１１２において、ターゲット基地局１００Ｔは、振り直したシーケンス番号が付与されたパケットをユーザ装置２００に送信する。
【００５５】
次に、図７〜９を参照して、本発明の第２実施例によるフルコンフィギュレーションを伴うハンドオーバ処理を説明する。第２実施例では、ソース基地局１００Ｓが、フルコンフィギュレーションを伴うハンドオーバにおいて、ユーザ装置２００においてリセットされたＰＤＣＰシーケンス番号に対応して、ターゲット基地局１００Ｔに転送されるパケットのＰＤＣＰシーケンス番号を振り直し、変更後のＰＤＣＰシーケンス番号が付与されたパケットをターゲット基地局１００Ｔに転送する。
【００５６】
図７は、本発明の第２実施例によるハンドオーバにおけるパケット転送処理を示す概略図である。図７に示されるように、ユーザ装置２００は、ソース基地局１００Ｓとの通信中にパケット１（ＰＤＣＰ  ＳＮ＝Ｘ）及びパケット２（ＰＤＣＰ  ＳＮ＝Ｘ＋１）の２つのパケットを受信したとする。
【００５７】
その後、フルコンフィギュレーションを伴うハンドオーバが実施され、ユーザ装置２００のシーケンス番号がリセットされる（ＰＤＣＰ  ＳＮ＝０）。ソース基地局１００Ｓは、バッファに滞留しているパケット３のＰＤＣＰシーケンス番号をＸ＋２から０に振り直し、パケット３（ＰＤＣＰ  ＳＮ＝０）をターゲット基地局１００Ｔに転送する。その後、ソース基地局１００Ｓは、当該パケット３が最後の転送パケットであることを示すエンドマーカ（Ｅ）を送信する。また、ソース基地局１００Ｓは、ターゲット基地局１００Ｔにおいて次に付与するパケットのシーケンス番号が１であることを示すＳＮ  Ｓｔａｔｕｓ  Ｔｒａｎｓｆｅｒをターゲット基地局１００Ｔに送信する。一方、ハンドオーバ後、コアネットワーク３００は、ユーザ装置２００宛てのパケットの送信先をソース基地局１００Ｓからターゲット基地局１００Ｔに切り替え、以降のパケット４をターゲット基地局１００Ｔに送信する。
【００５８】
パケット３（ＰＤＣＰ  ＳＮ＝０）を受信すると、ターゲット基地局１００Ｔは、受信したパケット３（ＰＤＣＰ  ＳＮ＝０）をユーザ装置２００に送信する。これにより、ユーザ装置２００は、ターゲット基地局１００Ｔから受信したパケット３（ＰＤＣＰ  ＳＮ＝０）を受信済みのパケット１，２に後続するパケットとして判断し、パケット１〜３に対して適切なリオーダリングを実行することが可能になる。その後、ソース基地局１００ＳからエンドマーカＥを受信すると、ターゲット基地局１００Ｔは、ソース基地局１００Ｓからのパケット転送が完了したと判断し、コアネットワーク３００から受信したパケット４に対して、ＳＮ  Ｓｔａｔｕｓ  Ｔｒａｎｓｆｅｒで示されたパケット３のＰＤＣＰシーケンス番号に続くＰＤＣＰシーケンス番号を割り当て（ＰＤＣＰ  ＳＮ＝１）、ユーザ装置２００に送信する。パケット４（ＰＤＣＰ  ＳＮ＝１）を受信すると、ユーザ装置２００は、当該パケット４を受信済みのパケット３（ＰＤＣＰ  ＳＮ＝０）に後続するパケットとして判断し、以降に受信するパケットに対して適切なリオーダリングを実行することができる。
【００５９】
図８は、本発明の第２実施例によるソース基地局の構成を示すブロック図である。図８に示されるように、ソース基地局１００Ｓは、ハンドオーバ処理部１１０Ｓ及びシーケンス番号付与部１２０Ｓを有する。
【００６０】
ハンドオーバ処理部１１０Ｓは、ユーザ装置２００に対するハンドオーバ処理を実行する。具体的には、ハンドオーバ処理部１１０Ｓは、ユーザ装置２００から受信品質の測定結果を示すメジャメントレポートを受信すると、ユーザ装置２００がターゲット基地局１００Ｔにハンドオーバすべきか判断する。ターゲット基地局１００Ｔにハンドオーバすべきであると判断すると、ハンドオーバ処理部１１０Ｓは、コアネットワーク３００にターゲット基地局１００Ｔへのハンドオーバ処理を要求する。ターゲット基地局１００Ｔからハンドオーバリクエストに対する送達確認を受信すると、ハンドオーバ処理部１１０Ｓは、ハンドオーバリクエストに対する送達確認にフルコンフィギュレーションの実施指示を確認する。ターゲット基地局１００Ｔからフルコンフィギュレーション実施有と指示された場合、ソース基地局１００Ｓはユーザ装置２００に対してフルコンフィギュレーションによるハンドオーバ処理を指示する。なお、上記ハンドオーバリクエストに対する送達確認にフルコンフィギュレーションの実施指示を利用する方法は、ソース基地局１００Ｓにフルコンフィギュレーションを実施することを認識させる一例であり、ソース基地局１００Ｓが予め近隣の基地局のＲｅｌｅａｓｅ情報を把握しておくなどの他の通知方法があれば、その方法を用いても構わない。その後、ハンドオーバ処理部１１０Ｓは、シーケンス番号付与部１２０Ｓによりシーケンス番号が振り直されたバッファに滞留しているパケットをターゲット基地局１００Ｔに転送する。
【００６１】
シーケンス番号付与部１２０Ｓは、ターゲット基地局１００Ｔに転送するユーザ装置２００宛てのパケットシーケンスの各パケットに対してシーケンス番号を振り直す。
【００６２】
一実施例では、パケットはＰＤＣＰパケットであり、シーケンス番号はＰＤＣＰシーケンス番号である。フルコンフィギュレーションを実行したユーザ装置２００がＰＤＣＰシーケンス番号を０にリセットする場合（ＰＤＣＰ  ＳＮ＝０）、シーケンス番号付与部１２０Ｓは、これに対応してバッファに滞留しているターゲット基地局１００Ｔに転送されるユーザ装置２００宛てのＰＤＣＰパケットに対して、０からＰＤＣＰシーケンス番号を振り直す。しかしながら、本発明はこれに限定されず、ユーザ装置２００がＰＤＣＰシーケンス番号をＸにリセットした場合、シーケンス番号付与部１２０Ｓもまた、ターゲット基地局１００Ｔに転送されるユーザ装置２００宛てのＰＤＣＰパケットのシーケンス番号として値Ｘを使用する。すなわち、シーケンス番号付与部１２０Ｓは、ユーザ装置２００においてリセットされたＰＤＣＰシーケンス番号に対応して、転送されたＰＤＣＰパケットのＰＤＣＰシーケンス番号を振り直す。
【００６３】
一実施例では、シーケンス番号付与部１２０Ｓは、ユーザ装置２００に送信されたが、未だ送達確認を受信していないバッファ内に格納されている未送達確認パケットに対してシーケンス番号を振り直してもよい。あるいは、他の実施例では、シーケンス番号付与部１２０Ｓは、ユーザ装置２００に送信されていないバッファ内に格納されている未送信パケットに対してシーケンス番号を振り直してもよい。
【００６４】
ＬＴＥ規格では、バッファに滞留しているＰＤＣＰパケットの転送は、ＲＬＣ−ＡＭとＲＬＣ−ＵＭとにより実行可能である。ＲＬＣ−ＡＭでは、ソース基地局１００Ｓは、ユーザ装置２００に送信済みであるが、ユーザ装置２００から未だ送達確認（ＡＣＫ）を受信していない滞留パケットをターゲット基地局１００Ｔに転送する。従って、ＲＬＣ−ＡＭにより滞留パケットをターゲット基地局１００Ｔに転送する場合、シーケンス番号付与部１２０Ｓは、バッファに滞留しているパケットのうち、ユーザ装置２００に送信済みであるが、未だ送達確認（ＡＣＫ）を受信していないパケットをターゲット基地局１００Ｔへの転送対象パケットとして特定し、特定した各パケットに対してシーケンス番号を振り直すようにしてもよい。
【００６５】
一方、ＲＬＣ−ＵＭでは、ソース基地局１００Ｓは、ユーザ装置２００に送信済みの滞留パケットを破棄し、未送信の滞留パケットのみターゲット基地局１００Ｔに転送する。従って、ＲＬＣ−ＵＭにより滞留パケットをターゲット基地局１００Ｔに転送する場合、シーケンス番号付与部１２０Ｓは、バッファに滞留しているパケットのうち、ユーザ装置２００に未送信のパケットをターゲット基地局１００Ｔへの転送対象パケットとして特定し、特定した各パケットに対してシーケンス番号を振り直すようにしてもよい。また、ソース基地局１００Ｓでは、ＲＬＣ−ＡＭとＲＬＣ−ＵＭとの２つの転送モードの滞留パケットがバッファ内に混在している場合、それぞれの基準又は転送モードに合わせて、転送すべきパケットを特定して、転送対象となるパケットに対してシーケンス番号を振り直すようにしても構わない。
【００６６】
一実施例では、シーケンス番号付与部１２０Ｓは、ターゲット基地局１００Ｔに転送するユーザ装置２００宛てのパケットシーケンスのパケット数を決定し、決定したパケット数をターゲット基地局１００Ｔに通知してもよい。例えば、当該パケット数は、ＳＮ  Ｓｔａｔｕｓ  Ｔｒａｎｓｆｅｒによりターゲット基地局１００Ｔに通知されてもよい。シーケンス番号の振り直した後にコアネットワーク３００からパケットシーケンスを受信した場合、シーケンス番号付与部１２０Ｓは、コアネットワーク３００から受信したパケットシーケンスに対してシーケンス番号を付与することなく、ターゲット基地局１００Ｔに転送してもよい。ターゲット基地局１００Ｔは、ソース基地局１００Ｓからシーケンス番号が付与されていないパケットを受信すると、当該パケットがコアネットワーク３００から送信されたパケットであると判断し、ＳＮ  Ｓｔａｔｕｓ  Ｔｒａｎｓｆｅｒに示されたパケット数に続くシーケンス番号を付与することができる。
【００６７】
図９は、本発明の第２実施例によるハンドオーバ処理を示すシーケンス図である。図９に示されるように、ステップＳ２０１において、ユーザ装置２００は、受信品質測定の結果をＭｅａｓｕｒｅｍｅｎｔ  ｒｅｐｏｒｔとしてソース基地局１００Ｓに送信する。
【００６８】
ステップＳ２０２において、ソース基地局１００Ｓは、受信したＭｅａｓｕｒｅｍｅｎｔ  ｒｅｐｏｒｔに基づき、ユーザ装置２００がターゲット基地局１００Ｔにハンドオーバすべきであると判断すると、ユーザ装置２００が設定中のＲｅｌｅａｓｅ情報を含むＨａｎｄｏｖｅｒ  Ｒｅｑｕｅｓｔをターゲット基地局１００Ｔに送信する。
【００６９】
ステップＳ２０３において、ターゲット基地局１００Ｔは、受信したＨａｎｄｏｖｅｒ  Ｒｅｑｕｅｓｔからユーザ装置２００が設定中のＲｅｌｅａｓｅ情報を検出し、フルコンフィギュレーション実施の必要性を判定する。
【００７０】
ステップＳ２０４において、ターゲット基地局１００Ｔは、フルコンフィギュレーションによるハンドオーバ指示に対する応答として、Ｈａｎｄｏｖｅｒ  Ｒｅｑｕｅｓｔ  Ａｃｋを返す。
【００７１】
ステップＳ２０５において、Ｈａｎｄｏｖｅｒ  Ｒｅｑｕｅｓｔ  Ａｃｋを受信すると、ソース基地局１００Ｓは、基地局１００Ｔをターゲット基地局とするハンドオーバ処理をコアネットワーク３００に通知すると共に、フルコンフィギュレーションによるハンドオーバ処理を実行する。
【００７２】
ステップＳ２０６において、ソース基地局１００Ｓは、フルコンフィギュレーション指示を設定したＲＲＣ  Ｃｏｎｎｅｃｔｉｏｎ  Ｒｅｃｏｎｆｉｇｕｒａｔｉｏｎをユーザ装置２００に送信する。ユーザ装置２００は、受信したＲＲＣ  Ｃｏｎｎｅｃｔｉｏｎ  Ｒｅｃｏｎｆｉｇｕｒａｔｉｏｎにおいて、フルコンフィギュレーションによるハンドオーバ指示が設定されていることを確認し、フルコンフィギュレーション機能を実行する。具体的には、ユーザ装置２００は、ベアラの解放やＰＤＣＰシーケンス番号などの各種パラメータの初期化など、ソース基地局１００Ｓにおいて設定された全てのコンフィギュレーションを削除し、ＲＲＣ  Ｃｏｎｎｅｃｔｉｏｎ  Ｒｅｃｏｎｆｉｇｕｒａｔｉｏｎに示されるターゲット基地局１００Ｔのためのコンフィギュレーションに再設定する。
【００７３】
ステップＳ２０７において、ソース基地局１００Ｓは、バッファに滞留しているパケットのシーケンス番号を振り直す。一実施例では、ソース基地局１００Ｓは、ユーザ装置２００に送信されたが、未だ送達確認を受信していないバッファ内に格納されている未送達確認パケットに対してシーケンス番号を振り直してもよい。あるいは、他の実施例では、ソース基地局１００Ｓは、ユーザ装置２００に送信されていないバッファ内に格納されている未送信パケットに対してシーケンス番号を振り直してもよい。
【００７４】
ステップＳ２０８において、ソース基地局１００Ｓは、転送対象のパケット数を示すＳＮ  Ｓｔａｔｕｓ  Ｔｒａｎｓｆｅｒをターゲット基地局１００Ｔに送信する。
【００７５】
ステップＳ２０９において、ソース基地局１００Ｓは、滞留パケットをターゲット基地局１００Ｔに転送する。
【００７６】
ステップＳ２１０において、ユーザ装置２００は、ターゲット基地局１００Ｔのためのコンフィギュレーションの再設定が完了すると、ＲＲＣ  Ｃｏｎｎｅｃｔｉｏｎ  Ｒｅｃｏｎｆｉｇｕｒａｔｉｏｎ  Ｃｏｍｐｌｅｔｅをターゲット基地局１００Ｔに送信し、ターゲット基地局１００Ｔとの通信が可能となる。
【００７７】
ステップＳ２１１において、ターゲット基地局１００Ｔは、ソース基地局１００Ｓから転送されたパケットをユーザ装置２００に送信すると共に、コアネットワーク３００から受信したパケットに対して、ＳＮ  Ｓｔａｔｕｓ  Ｔｒａｎｓｆｅｒに示されるパケット数に続くシーケンス番号を付与してユーザ装置２００に送信する。
【００７８】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００７９】
１０  無線通信システム
１００Ｓ  ソース基地局
１００Ｔ  ターゲット基地局
１１０Ｓ，１１０Ｔ  ハンドオーバ処理部
１２０Ｓ，１２０Ｔ  シーケンス番号付与部
２００  ユーザ装置
３００  コアネットワーク
【図１】
2015220644.tif 000003
【図２】
2015220644.tif 000004
【図３】
2015220644.tif 000005
【図４】
2015220644.tif 000006
【図５】
2015220644.tif 000007
【図６】
2015220644.tif 000008
【図７】
2015220644.tif 000009
【図８】
2015220644.tif 000010
【図９】
2015220644.tif 000011